(57)【要約】【課題】ＬＥＤランプからの光の照射によって透光板を支持する目地部材に沿って生じる暗い領域を低減することができ、しかも容易にＬＥＤランプを乗りかご内から交換することができるエレベータの乗りかご照明装置を提供することにある。【解決手段】ＬＥＤランプの光の照射方向に目地部材の投影像を形成する光を遮光する遮光体を目地部材の上方に位置する天板に目地部材に沿って設け、この遮光体と目地部材の間に透光板が通過できる空隙を設けたものである。目地部材に向かう照射方向に目地部材の投影像を形成するＬＥＤランプの光が遮光体によって遮光されるので、ＬＥＤランプの照射方向に目地部材の投影像が生じ難くなり目地部材に沿った暗い領域が透光板に生じないので透光板の意匠性を向上することができる。また、目地部材と遮光体の間の空隙によって透光板を通過させることができるのでＬＥＤランプの交換を乗りかご内から行うことができる。【選択図】図２
2014105094.tif 000002
【特許請求の範囲】
【請求項１】
エレベータの乗りかごの天板の下方に対向するように設けられる透光板と、前記天板と前記透光板との間に介装される複数のＬＥＤランプと、前記透光板の分割部分に挿嵌される目地部材とを備えて前記乗りかご内を照明するエレベータの乗りかご照明装置において、
前記ＬＥＤランプの光の照射方向に前記目地部材の投影像を形成する光を遮光する遮光体を前記目地部材に沿って前記天板に設けると共に、前記遮光体と前記目地部材の間に前記透光板が通過できる長さを有した空隙を設けたことを特徴とするエレベータの乗りかご照明装置。
【請求項２】
請求項１に記載のエレベータの乗りかご照明装置において、
前記遮光体はその断面が前記天板に固定される上端面と、この上端面の両側から下に垂下する側端面からなることを特徴とするエレベータの乗りかご照明装置。
【請求項３】
請求項２に記載のエレベータの乗りかご照明装置において、
前記遮光体の側端面の間の長さは前記目地部材の幅より長いことを特徴とするエレベータの乗りかご照明装置。
【請求項４】
請求項１に記載のエレベータの乗りかご照明装置において、
前記遮光体の表面は光を吸収する色に形成されていることを特徴とするエレベータの乗りかご照明装置。
【発明の詳細な説明】
【技術分野】
【０００１】
本発明はエレベータの乗りかご照明装置に係り、特にＬＥＤランプから成る光源によりエレベータの乗りかご内を照明するエレベータの乗りかご照明装置に関するものである。
【背景技術】
【０００２】
エレベータの乗りかご内は操作ボタンを操作し易くするためや、安全対策のために照明装置によって照明するようにされている。従来ではこの照明装置としては電球や蛍光灯を使用していたが、照明装置として大型である、消費電力が多い、電球や蛍光灯の取り換え等の維持管理が頻繁に必要である、電球や蛍光灯のガラスが破損して危険であるといった課題があった。
【０００３】
そこで、最近は小型化、消費電力、維持管理のし易さ等の観点からＬＥＤランプからなる照明装置をエレベータの照明装置に適用できるように改良して使用するようになってきている。
【０００４】
このようなＬＥＤランプを使用したエレベータの乗りかご照明装置として、例えば
特開２０１１−１０５４３３号公報（特許文献１）に記載されているような構成が提案なされている。この特許文献１に記載されている照明装置は、天井に固定される保持部材にＬＥＤランプを有する複数の照明ユニットを取り付けると共に、ＬＥＤランプの照射側に配置された透光性の遮蔽板とを備えているものである。
【先行技術文献】
【特許文献】
【０００５】
【特許文献１】特開２０１１−１０５４３３号公報
【発明の概要】
【発明が解決しようとする課題】
【０００６】
ところで、特許文献１にあるような乗りかごの天井に設けられる照明装置は、天板の下方に対向するように設けられる透光性の遮蔽板（以下、透光板という）と、天板と透光板との間に介装される複数のＬＥＤランプユニットとを有している。透光板は乗りかごの容積にもよるが、容積が大きなものにあっては、強度を保持する観点から一般に複数に分割され、分割部分には目地部材が挿嵌されるようになって透光板を支持するようにしている。
【０００７】
このような構成のものにＬＥＤランプを用いた場合、天板と透光板の間の内部に位置する目地部材にＬＥＤランプからの強い光が照射され、その照射方向に目地部材の投影像である影が発生する現象がある。したがって、透光板を下から眺めると目地部材に沿って暗い領域が生じてしまい意匠性が低下するという課題があった。
【０００８】
また、ＬＥＤランプを交換する場合には乗りかごの天板の上から交換する方法では作業性が悪く、乗りかご内から交換する構成が求められている。このためには分割された透光板を横にずらし、これによって形成される開口を利用してＬＥＤランプを交換することが有利である。
【０００９】
このように透光板を目地部材で支持するものにおいては、ＬＥＤランプの照射方向に目地部材の投影像である影が発生するという現象を改善することや、透光板をずらしてＬＥＤランプの交換が乗りかご内からできること等が要請されており、この要請に応えることが実際の乗りかごの照明装置を実用化するうえで大きな課題となっていた。
【００１０】
本発明の目的は、ＬＥＤランプからの光の照射によって透光板を支持する目地部材に沿って生じる暗い領域を低減することができ、しかも容易にＬＥＤランプを乗りかご内から交換することができるエレベータの乗りかご照明装置を提供することにある。
【課題を解決するための手段】
【００１１】
本発明の特徴は、ＬＥＤランプの光の照射方向に目地部材の投影像を形成する光を遮光する遮光体を目地部材の上方に位置する天板に目地部材に沿って設け、更にこの遮光体と目地部材の間に透光板が通過できる空隙を設けた、ところにある。
【発明の効果】
【００１２】
本発明によれば、目地部材に向かう照射方向に目地部材の投影像を形成するＬＥＤランプの光が遮光体によって遮光されるので、ＬＥＤランプの照射方向に目地部材の投影像が生じ難くなる。この結果、目地部材に沿った暗い領域が透光板に生じないので透光板の意匠性を向上することができるようになる。また、目地部材と遮光体の間の空隙によって透光板を通過させることができるのでＬＥＤランプの交換を乗りかご内から行うことができるようになる。
【図面の簡単な説明】
【００１３】
【図１】エレベータの乗りかごの内部を示す内部外観斜視図である。
【図２】本発明の一つの実施形態になるエレベータの乗りかご照明装置の縦断面図である。
【図３】図２におけるエレベータの乗りかご照明装置を構成する透光板を見上げた下面図である。
【図４】図２に示す遮光体と目地部材の配置関係を説明する構成図である。
【発明を実施するための形態】
【００１４】
以下、本発明の実施形態について図面を用いて説明するが、本発明は以下の実施形態に限定されることなく、本発明の技術的な概念の中で種々の変形例や応用例をもその範囲に含むものである。
【００１５】
図１に示すように、エレベータの乗りかご１は床２と、床２に立設される側板３と、出入口となるドア４と、頂上部を形成する天板５と、天板５に設置される照明装置６とを有している。照明装置６にはアクリル樹脂よりなる乳白色の透光板７が備えられており、本実施例ではこの透光板７は４分割されている。透光板７は夫々の外周縁が十字形の中央目地部材１０によって支持されて落下しないように構成されている。
【００１６】
図２及び図３に示すように、照明装置６は天板５の下方に対向するように設けられ、例えば４つに分割されてなる透光板７と、天板５と透光板７との間に介装される複数のＬＥＤランプ８を有するＬＥＤ基板９と、透光板７の分割部分に挿嵌される中央目地部材１０と、透光板９の周囲に設けられる周囲目地部材１１とを有している。周囲目地部材１１は側板３に固定されており、中央目地部材１０は周囲目地部材１１に固定されて支持される構成となっている。中央目地部材１０と周囲目地部材１１はアルミニウムで作られており、色彩は銀色或いは乳白色である。
【００１７】
透光板７は中央目地部材１０と周囲目地部材１１とで形成される矩形の開口寸法より若干大きな寸法を有しており、内側の２辺が中央目地部材１０、他の外側の２辺が周囲目地部材１１に載置されるようにして支持される。
【００１８】
中央目地部材１０は本実施例にあっては透光板７が４分割されていることから、図３に示すように十字形の形状となっている。周囲目地部材１１は透光板７の外側の２辺を支持するため影の影響はないが、中央目地部材１０においては透光板７を横切るように設けられるため中央目地部材１０による影が生じるようになる。
【００１９】
図２に示してあるように、中央目地部材１０はその下側部分で透光板７を支持する構成であるため、透光板７より上側に突出した中央目地部材１０にＬＥＤランプ８によって光が照射されると、照射方向に中央目地部材１０の投影像である影を生じる。このため、この影は中央目地部材１０の形状に沿って形成され、透光板７を下側から眺めると中央目地部材１０に沿って暗い領域が形成されるようになる。したがって、意匠的に好ましいものではなかった。尚、本実施艇では中央目地部材１０が十字形の形状であるが、これ以外の形状であっても同様である。
【００２０】
そして、本実施例では中央目地部材１０の近傍に影が生じることを防ぐために次のような構成を採用している。図２において、中央目地部材１０の上方に位置する天板５に、ＬＥＤランプ８からの光の一部を遮るように遮光体１２を備えると共に、この遮光体１２と中央目地部材１０との間に空隙１３を形成するようにしている。遮光体１２はその断面が「コ」字状に形成されており、上端面が天板５に固定され、この上端面の両側から下に垂下する２つの側端面１２ａ、１２ｂを有している。
【００２１】
つまり、ＬＥＤランプ８の光の照射方向に中央目地部材１０の投影像を形成する光を遮光する遮光体１２を中央目地部材１０の上方に位置する天板５に中央目地部材１０に沿って設けたものである。このような構成によれば、中央目地部材１０に向かう照射方向で中央目地部材１０の投影像を形成するＬＥＤランプ８の光が遮光体１２によって遮光されるので、ＬＥＤランプ８の照射方向に中央目地部材１０の投影像が生じ難くなるものである。
【００２２】
また、空隙１３は透光板７が横方向に通過できる程度以上の長さを有しており、ＬＥＤランプを交換する際に透光板７をずらすことができるようになっている。
【００２３】
図４に示されるように、この側端面１２ａ、１２ｂ同士の間の長さＷは中央目地部材１０の幅より大きく設定されている。このように側端面１２ａ、１２ｂ同士の間の長さＷを中央目地部材１０の幅より大きくすると、中央目地部材１０に対する遮光効果が大きくなり遮光体の１２の側端面１２ａ、１２ｂの長さを短くできるようになる。これによって、透光板７が通過する空隙を形成することが可能となる。このことは照明装置６の全体的な厚さ方向の長さの低減に寄与することも期待できる。尚、遮光体の１２の側端面１２ａ、１２ｂの長さを必要以上に長くすると、この側端面１２ａ、１２ｂの投影像が透光板７に投影される恐れがあるので、適切な長さを設定することが重要である。
【００２４】
このような観点から図４に示しているように遮光体１２の側端面１２ａ、１２ｂの間の長さＷは中央目地部材１０の幅より大きく設定され、遮光体１２の先端から中央目地部材１０の先端までの長さＬは天板５から透光板７までの長さの１/３程度に設定されている。
【００２５】
遮光体１２は中央目地部材１０の形状に沿って設けられており、本実施例では中央目地部材１０が十字形の形状であるため、遮光体１２も十字形の形状に形成されている。更に、この遮光体１２の表面は光を吸収する、例えば黒色に形成されている。この黒色の遮光体１２の素材は黒いフェルトを細かく裁断して静電接着された素材で形成することができる。
【００２６】
以上において、図２にあるように電源からＬＥＤ基板９に電力が供給されると、この電力は各ＬＥＤランプ８を発光させ、図２の矢印に示すように光が照射される。このＬＥＤランプ８の照射角度は１２０°に設定されたものである。そして、特に中央目地部材１０の近傍に配置されたＬＥＤランプ８から照射された光は遮光体１２の天板５側から垂下する２つの側端面１２ａ、１２ｂによって一部が遮光されるようになる。この遮光される光は、本来であれば中央目地部材１０に照射されて照射方向に中央目地部材１０の投影像を形成するものである。しかしながら、本実施例ではこの投影像を形成する光が遮光体１２によって遮光されるので、ＬＥＤランプ８の光による影の形成を抑制できるようになる。
【００２７】
一方、中央目地部材１０自身に照射された光は反対側に照射されないため投影像そのものを形成しないので影とはならないものである。
【００２８】
更に、ＬＥＤランプ８を交換する場合は、脚立を利用して交換するべきＬＥＤランプ８が配置されている部分の透光板７を持ち上げ、遮光体１２と中央目地部材１０に形成した空隙１３を利用して透光板７を横にずらして開口を形成し、この開口を利用してＬＥＤランプ８を交換することが可能となる。
【００２９】
以上述べたように本発明によれば、目地部材の上方に位置する天板に目地部材に沿って目地部材の投影像を形成するＬＥＤランプの光を遮る遮光体を設け、更にこの遮光体と目地部材の間に空隙を設けた構成としている。したがって、目地部材の投影像を形成するＬＥＤランプの光が遮光体によって遮光されるので、ＬＥＤランプの照射方向に目地部材の投影像が生じ難くなる。この結果、目地部材に沿った暗い領域が透光板に生じないので透光板の意匠性を向上することができるようになるという新規な効果を奏することができるものである。
【００３０】
また、目地部材と遮光体の間の空隙によって透光板を通過させることができるのでＬＥＤランプの交換を乗りかご内から行うことができるようになる。
【符号の説明】
【００３１】
１…乗りかご、５…天板、６…照明装置、７…透光板、８…ＬＥＤランプ素子、９…ＬＥＤ基板、１０…中央目地部材、１１…周囲目地部材、１２…遮光体、１２ａ、１２ｂ…側端面、１３…空隙。
【図１】
2014105094.tif 000003
【図２】
2014105094.tif 000004
【図３】
2014105094.tif 000005
【図４】
2014105094.tif 000006